(57)【要約】【課題】  永く、たくさんの生前の御写真を飾る方法。【解決手段】  小さなケースに入れることと、額縁の中側に隙間を設けること、そして、実績のある漆を使うこと。【選択図】図１
2015223494.tif 000002
【特許請求の範囲】
【請求項１】
１．直方形（図１）で、２．表面で空気と接する各角は、３．少し丸みを形成していて、４．各辺の長さは１０センチメートル以下であり、５．前面の額の内側（２）は、６．中に入れる透明な板状のもの（７）と接しないように、７．内側からの１ミリメートル以上の一辺（３）で浮いた部分（４）がある（図２）慰霊写真のケースで、８．透明な板状の板（７）が広い面に合わせて３枚重ねて入れられており（図２）、９．前面の各辺は、１０．両端が４５度でカット（５）されたもの（９）を、１１．合わせてあり（５）、１２．その合わせ目（５）の後ろ側は（図４）（図５）、１３．小片（６）が入る空間（１０）があり、１４．そこに（１０）、１５．その空間（１０）と同じ形の小片（６）を入れることにより固定されるようになっていて（図５）、１６．また、１７．その合わせ目（５）の横（図６）にも別の形をした小片（８）と同じ形をした空間（１）があり、１８．そこに（１）、１９．その空間（１）と同じ形をした小片（８）を入れることにより固定されるようになっていて（図６）、２０．そのように各辺同士を固定した、２１．慰霊写真のケース。
【請求項２】
１．直方形（図１）で、２．表面で空気と接する各角は、３．少し丸みを形成していて、４．各辺の長さは１０センチメートル以下であり、５．前面の額の内側（２）は、６．中に入れる透明な板状のもの（７）と接しないように、７．内側からの１ミリメートル以上の一辺（３）で浮いた部分（４）がある（図３）慰霊写真のケースで、８．透明な板状の板（７）が広い面に合わせて２枚重ねて入れられており（図３）、９．前面の各辺は、１０．両端が４５度でカット（５）されたもの（９）を、１１．合わせてあり（５）、１２．その合わせ目（５）の後ろ側は（図４）（図５）、１３．小片（６）が入る空間（１０）があり、１４．そこに（１０）、１５．その空間（１０）と同じ形の小片（６）を入れることにより固定されるようになっていて（図５）、１６．また、１７．その合わせ目（５）の横（図６）にも別の形をした小片（８）と同じ形をした空間（１）があり、１８．そこに（１）、１９．その空間（１）と同じ形をした小片（８）を入れることにより固定されるようになっていて（図６）、２０．そのように各辺同士を固定した、２１．慰霊写真のケース。
【発明の詳細な説明】
【技術分野】
【０００１】  本発明は、ある人が生きていたことの証となる姿を残すための小型のケースの発明の分野に属する。
【背景技術】
【０００２】  従来は、大きな額縁に生前最後のころの写真を入れて、居間などに掛けて置いて置いたり、お寺からあちらの名前を頂いて、黒塗りの板に書いて、仏壇に入れておくのが、普通であった。
【発明の開示】
【発明が解決しようとする課題】
【０００３】  場所をとらず、古来の文化と雰囲気を感じられ、古来の文化と現代の文化を比較できる、また、気が付く、小さいが、本物感覚の御写真入れ。【０００４】  また、透明板が縁によりキズが付かないような額縁で、若いころの写真も入れられる御写真入れ。
【課題を解決するための手段】
【０００５】  本発明は、前面の額の内側（２）を、中に入れる透明な板状のもの（７）と接する所で接しないよう（図２）（図３）、１ミリ以上の一辺を作り（３）、本来接する所を浮かせる（４）ことで、板状の透明板と内側のところで空間（４）を作り、透明板（７）を拭いても、本来接する所にゴミがたまらないようにして、額より内側にキズが付きにくい様にした。【０００６】  本発明は、額縁の一辺を１０センチメートル以下にすることで、たくさんの御写真を並べて、飾れるようにした（図７）。
【発明の効果】
【０００７】  前面の幅を、縦７．１ＣＭ、横６．６ＣＭ、後ろ幅０．９ＣＭで製作すると、小さく、直方体で、並べて置いても、大きいのと比べると、たくさん置けた。【０００８】  空間（４）を作ることで、ゴミが中にたまって、掃除のときに透明板（７）にキズが付きにくくなった。【０００９】  透明板が３枚あるので（図２）、後ろから見ると後ろから１枚目のところに若いころの写真やお気に入りの小さい写真を入れる事が出来る。【００１０】  写真の裏側には、生年月日、ＧＰＳ値、名前、そして、あの世の名前を書いて置くといい。
【発明を実施するための最良の形態】
【００１１】  適当な大きさは、各辺（９）が、だいたい、縦７．１ＣＭ、横６．６ＣＭ、後ろ幅０．９ＣＭで、額縁幅は１．５ＣＭで、各辺（９）は軽く接着されていて、この値で製作すると、直方体がはっきりして、並べて置いても、大きいのと比べると、たくさん置けた。【００１２】  塗装は、赤と黒の漆をべた塗にして凹凸を塗面に与えても、額が小さいので、目立ちにくく、各額縁の識別に使える様になった。【００１３】  緑やオレンジなどの漆を混ぜて使っても良い。【００１４】  板状の透明板が落ちないように、２個のトンボ（１１）（図８）で押さえた。【００１５】  御写真入れの額縁は、小さい釘（１３）を刺して、糸でくくって、吊るした。【００１６】  額縁の幅が広いので、マイクロＳＤを袋に入れて、各辺（９）の後ろに、付けて置ける。【００１７】  キリスト教ならば、十字架を金色や他の色で各辺の前面の１か所に、印刷したり、仏教ならば、阿弥陀如来像を各辺の１か所に印刷したりして、宗教が、判る様にすることも出来る。
【実施例】
【００１８】  図１は、発明を斜め横から見た全体図である。
【産業上の利用可能性】
【００１９】  不定形で無く、形がしっかりしており、御家が続いている御家庭では、小さいので場所を取らず、分家にも御先祖の写真を配分でき、必需品になる可能性がある。【００２０】  基礎素材の消費を促し、安定した需要が見込まれると考えられる。
【図面の簡単な説明】
【００２１】
【図１】発明を前面の少し斜め上から見た全体図。
【図２】発明の断面図の一部。
【図３】発明の断面図の一部。
【図４】発明を後ろから見た図。
【図５】発明の形を保つための方法の部分の切り抜き図。
【図６】発明の形を保つための方法の部分の切り抜き図。
【図７】発明をお仏壇の入っているところの上に並べた図。
【図８】板状の透明板を、トンボ（１１）で押さえた様子。
【符号の説明】
【００２２】１．額縁の各辺（９）が前後にずれない様にする為の小片（８）の入る空間。
２．額縁の内側。
３．額縁の各辺（９）の内側の中側を１ミリ以上削った様子。
４．額縁の各辺（９）の内側の中側を１ミリ以上削って空いた空間。
５．額縁を構成している各辺の分離された個体（９）が合わさっている様子。
６．額縁の各辺（９）が開いて離れない様にする為に接着する小片。
７．額縁の中に入れる透明な板。
８．前後にずれない様に空間（１）に入れて接着する小片。
９．額縁の各辺で板（７）の入る隙間は、切り抜かれている。
１０．小片（６）を入れる額縁の各辺（９）が開かないようにする空間。
１１．額縁の中に入れる透明な板（７）を押さえるトンボ。
１２．ネジ。
１３．釘。
１４．本発明。
１５．仏壇の入っているドアの上。
【図１】
2015223494.tif 000003
【図２】
2015223494.tif 000004
【図３】
2015223494.tif 000005
【図４】
2015223494.tif 000006
【図５】
2015223494.tif 000007
【図６】
2015223494.tif 000008
【図７】
2015223494.tif 000009
【図８】
2015223494.tif 000010